(57)【要約】  サーバは、商店の位置情報を保存する保存部と、デバイスの位置情報を獲得する位置情報獲得部と、商店の位置情報及びデバイスの位置情報に基づき、商店とデバイスとの間の距離が第１の長さよりも小さいか否かを判断する距離判断部と、商店とデバイスとの間の距離が第１の長さよりも小さい際、デバイスに第１のリワードを提供するリワード提供部と、を含み、リワード提供部は、商店とデバイスとの間の距離が第２の長さよりも小さい際、デバイスに第２のリワードを提供し、第２の長さは第１の長さよりも小さいものであり得る。
2016536706.tif 000002
【特許請求の範囲】
【請求項１】
デバイスにリワードを提供するサーバにおいて、
商店の位置情報を保存する保存部と、
前記デバイスの位置情報を獲得する位置情報獲得部と、
前記商店の位置情報及び前記デバイスの位置情報に基づき、前記商店と前記デバイスとの間の距離が第１の長さよりも小さいか否かを判断する距離判断部と、
前記商店と前記デバイスとの間の距離が前記第１の長さよりも小さい際、前記デバイスに第１のリワードを提供するリワード提供部と、
を含み、
前記リワード提供部は、前記商店と前記デバイスとの間の距離が第２の長さよりも小さい際、前記デバイスに第２のリワードを提供し、前記第２の長さは前記第１の長さよりも小さいものである、
ことを特徴とするサーバ。
【請求項２】
前記距離判断部は、前記商店の位置情報及び前記デバイスの位置情報に基づき、前記商店と前記デバイスとの間の距離が前記第２の長さよりも小さいか否かを判断し、
前記リワード提供部は、前記商店と前記デバイスとの間の距離が前記第１の長さよりも小さいと判断した第１の時点と、前記商店と前記デバイスとの間の距離が前記第２の長さよりも小さいと判断した第２の時点との間の時間間隔に基づき、前記デバイスに第２のリワードを提供する、
ことを特徴とする、請求項１に記載のサーバ。
【請求項３】
前記商店と前記デバイスとの間の距離が長さ第１の長さよりも小さい際、前記デバイスに広告情報を提供する広告情報提供部をさらに含み、
前記リワード提供部は、前記デバイスによって前記広告情報に対応する選択が入力される場合、前記第１のリワードを提供する、
ことを特徴とする、請求項１に記載のサーバ。
【請求項４】
前記リワード提供部は、前記デバイスを通じて前記商店に対応する購買が進行された場合、前記デバイスに第３のリワードを提供する、
ことを特徴とする、請求項３に記載のサーバ。
【請求項５】
前記第１のリワード、前記第２のリワード及び前記第３のリワードのうち１つ以上は、複数の商店で使用される決済ポイントである、
ことを特徴とする、請求項４に記載のサーバ。
【請求項６】
前記広告情報提供部は、前記商店と前記デバイスとの間の距離が前記第１の長さよりも小さく、現在時間が前記商店の運営時間間隔以内である場合、前記デバイスに前記広告情報を提供する、
ことを特徴とする、請求項３に記載のサーバ。
【請求項７】
前記広告情報提供部は、前記商店と前記デバイスとの間の距離が前記第１の長さよりも小さく、前記デバイスから前記商店までの所要時間が臨界値よりも小さい場合、前記デバイスに広告情報を提供する、
ことを特徴とする、請求項３に記載のサーバ。
【請求項８】
前記保存部は、前記商店の位置情報及び前記商店の商店情報を保存し、
前記位置情報獲得部は、前記デバイスの位置情報及び前記デバイスのユーザのユーザ情報を獲得し、
前記広告情報提供部は、前記商店情報及び前記ユーザ情報に基づいて前記デバイスに前記広告情報を提供する、
ことを特徴とする、請求項３に記載のサーバ。
【請求項９】
前記広告情報は、前記商店の広告情報であり、
前記ユーザ情報は、前記ユーザの識別情報、好む商店のカテゴリ情報及び好むリワードのカテゴリ情報のうち１つ以上を含み、
前記商店情報は、前記商店の識別情報、前記商店のカテゴリ情報、前記商店が提供するリワードのカテゴリ情報及び前記広告情報のうち１つ以上を含む、
ことを特徴とする、請求項８に記載のサーバ。
【請求項１０】
前記広告情報は、広告データ及び広告の提供時間を含み、
前記広告情報提供部は、前記広告の提供時間に基づいて前記デバイスに前記広告情報を提供する、
ことを特徴とする、請求項８に記載のサーバ。
【請求項１１】
前記広告情報提供部は、前記デバイスが現在位置に既位置した回数又は頻度に基づき、前記広告情報を前記デバイスに提供し、
前記リワード提供部は、前記デバイスが現在位置に既位置した回数又は頻度に基づき、前記第１のリワード又は前記第２のリワードを前記デバイスに提供する、
ことを特徴とする、請求項３に記載のサーバ。
【請求項１２】
前記広告情報に対応する金額は、前記商店の決済情報に基づいて決済され、
前記金額は、前記サーバに対応する第１の金額、前記第１のリワード、前記第２のリワード及び第３のリワードのうち１つ以上の合計である、
ことを特徴とする、請求項３に記載のサーバ。
【請求項１３】
前記保存部は、複数の商店の位置情報を保存し、
前記距離判断部は、前記複数の位置情報及び前記デバイスの位置情報に基づき、前記複数の商店各々と前記デバイスとの間の距離が前記第１の長さよりも小さいか否かを判断し、
前記広告情報提供部は、前記距離判断部の判断結果に応じて前記複数の商店のうち１つ以上の候補商店を選択し、前記選択した候補商店各々の広告情報を前記デバイスに提供し、
前記リワード提供部は、前記デバイスによって前記広告情報のうち第１の候補商店の第１の広告情報に対する選択が入力される場合、前記第１の候補商店に対応する前記第１のリワードを前記デバイスに提供する、
ことを特徴とする、請求項３に記載のサーバ。
【請求項１４】
前記商店の位置情報及び前記デバイスの位置情報は、ＧＰＳ（Ｇｌｏｂａｌ  Ｐｏｓｉｔｉｏｎｉｎｇ  Ｓｙｓｔｅｍ）情報、基地局情報、及びＡＰ（Ａｃｃｅｓｓ  Ｐｏｉｎｔ）情報の少なくとも１つ以上である、
ことを特徴とする、請求項１に記載のサーバ。
【請求項１５】
前記位置情報獲得部は、位置情報生成サーバから前記デバイスの位置情報を受信する、
ことを特徴とする、請求項１に記載のサーバ。
【請求項１６】
デバイスにリワードを提供する方法において、
商店の位置情報を保存するステップと、
前記デバイスの位置情報を獲得するステップと、
前記商店の位置情報及び前記デバイスの位置情報に基づき、前記商店と前記デバイスとの間の距離が第１の長さよりも小さいか否かを判断するステップと、
前記商店と前記デバイスとの間の距離が前記第１の長さよりも小さい際、前記デバイスに第１のリワードを提供するステップと、
前記商店の位置情報及び前記デバイスの位置情報に基づき、前記商店と前記デバイスとの間の距離が第２の長さよりも小さいか否かを判断するステップと、
前記商店と前記デバイスとの間の距離が前記第２の長さよりも小さい際、前記デバイスに第２のリワードを提供し、前記第２の長さは前記第１の長さよりも小さいものであるステップと、を含むことを特徴とする方法。
【請求項１７】
前記第１の長さよりも小さいか否かを判断するステップの後に、前記商店と前記デバイスとの間の距離が前記第１の長さよりも小さい際、前記デバイスに広告情報を提供するステップをさらに含み、
前記デバイスに第１のリワードを提供するステップは、前記デバイスによって前記広告情報に対応する選択が入力される場合、前記第１のリワードを提供する、
ことを特徴とする、請求項１６に記載の方法。
【請求項１８】
サーバからリワードを受信するデバイスにおいて、
前記デバイスの位置情報を生成する位置情報生成部と、
前記デバイスの位置情報を前記サーバに周期的に転送する転送部と、
前記デバイスと商店との間の距離が第１の長さよりも小さい際、前記サーバから第１のリワードを受信するリワード受信部と、
前記受信した第１のリワードに関するイメージを前記デバイスのディスプレイに表示する表示部と、を含み、
前記リワード受信部は、前記デバイスと前記商店との間の距離が第２の長さよりも小さい際、前記サーバから第２のリワードを受信し、前記第２の長さは前記第１の長さよりも小さいものである、
ことを特徴とするデバイス。
【請求項１９】
前記デバイスと商店との間の距離が前記第１の長さよりも小さい際、前記サーバから広告情報を受信する広告情報受信部と、
ユーザインターフェースから前記広告情報に対する選択が入力される場合、前記選択に対応する通知を生成する通知生成部と、をさらに含み、
前記転送部は、前記通知を前記サーバに転送し、
前記リワード受信部は、前記通知が前記サーバに転送された後、前記サーバから前記第１のリワードを受信する、
ことを特徴とする、請求項１８に記載のデバイス。
【請求項２０】
デバイスによりリワードを受信する方法において、
前記デバイスの位置情報を生成するステップと、
前記デバイスの位置情報を サーバに転送するステップと、
前記デバイスと商店との間の距離が第１の長さよりも小さい際、前記サーバから第１のリワードを受信するステップと、
前記受信した第１のリワードに関するイメージを前記デバイスのディスプレイに表示するステップと、
前記デバイスと前記商店との間の距離が第２の長さよりも小さい際、前記サーバから第２のリワードを受信し、前記第２の長さは前記第１の長さよりも小さいものであるステップと、を含むことを特徴とする方法。
【請求項２１】
前記サーバから前記第１のリワードを受信するステップの前に、前記デバイスと前記商店との間の距離が前記第１の長さよりも小さい際、前記サーバから広告情報を受信するステップと、
ユーザインターフェースから前記広告情報に対する選択が入力される場合、前記選択に対応する通知を生成するステップと、
前記通知を前記サーバに転送するステップと、をさらに含み、
前記サーバから第１のリワードを受信するステップは、前記通知が前記サーバに転送された後、前記サーバから前記第１のリワードを受信する、
ことを特徴とする、請求項２０に記載の方法。
【請求項２２】
請求項１６、１７、２１又は２１の何れか一項に記載の方法をコンピュータで実行させるためのプログラムを記録したコンピュータ読み取り可能な記録媒体。
【発明の詳細な説明】
【技術分野】
【０００１】
デバイスの位置情報に基づいてデバイスにリワードを提供するサーバ、方法、及びデバイスに関する。
【背景技術】
【０００２】
既存の広告方式は、不特定多数を対象に、顧客のニーズとは関係なく行われる場合が多く、広告の効率性を測定することが難しい。このような広告方式には、広告チラシを製作して不特定多数に配布する方式、ラジオあるいはＴＶなどのメディア媒体を通じて広告する方式、ウェブページにおける検索を通じて、当該検索語を基にそれと類似した広告を露出する方式などがある。
【０００３】
商店に関する商店広告を提供する方法に係り、韓国公開特許公報第２０１３−００４９２３１号には、検索語の検索結果の中から選択されたコンテンツに検索語をタギングすることで、コンテンツ及びユーザ別にタグ情報を管理し、ユーザ別のタグ情報に基づいてユーザ端末の関心情報を分析し、ユーザ端末の関心情報に対応するターゲット情報をユーザ端末に提供する方法に関する構成が開示されている。
【先行技術文献】
【特許文献】
【０００４】
【特許文献１】韓国公開特許公報第２０１３−００４９２３１号
【発明の概要】
【発明が解決しようとする課題】
【０００５】
商店とデバイスとの間の距離に基づき、リワードをデバイスに差等をつけて提供するサーバ及び方法、並びにデバイスを提供する。また、デバイスのユーザが関心を持つ領域に対応する商店の広告情報を提供することで広告の効率性を増大させるサーバ及び方法、並びにデバイスを提供する。さらに、商店の広告情報を受信し、確認したデバイスのユーザにリワードを提供するサーバ及び方法、並びにデバイスを提供する。
【０００６】
但し、本実施例が達成しようとする技術的課題は、上記したような技術的課題に限定されるものではなく、さらなる他の技術的課題が存在し得る。
【課題を解決するための手段】
【０００７】
上述した技術的課題を解決するための技術的手段として、本発明の一実施例は、商店の位置情報を保存する保存部と、前記デバイスの位置情報を獲得する位置情報獲得部と、前記商店の位置情報及び前記デバイスの位置情報に基づき、前記商店と前記デバイスとの間の距離が第１の長さよりも小さいか否かを判断する距離判断部と、前記商店と前記デバイスとの間の距離が第１の長さよりも小さい際、前記デバイスに第１のリワードを提供するリワード提供部と、を含み、前記リワード提供部は、前記商店と前記デバイスとの間の距離が第２の長さよりも小さい際、前記デバイスに第２のリワードを提供し、前記第２の長さは前記第１の長さよりも小さいものである、サーバを提供する。
【０００８】
また、本発明の他の実施例は、商店の位置情報を保存するステップと、前記デバイスの位置情報を獲得するステップと、前記商店の位置情報及び前記デバイスの位置情報に基づき、前記商店と前記デバイスとの間の距離が第１の長さよりも小さいか否かを判断するステップと、前記商店と前記デバイスとの間の距離が第１の長さよりも小さい際、前記デバイスに第１のリワードを提供するステップと、前記商店の位置情報及び前記デバイスの位置情報に基づき、前記商店と前記デバイスとの間の距離が第２の長さよりも小さいか否かを判断するステップと、前記商店と前記デバイスとの間の距離が第２の長さよりも小さい際、前記デバイスに第２のリワードを提供し、前記第２の長さは前記第１の長さよりも小さいものであるステップと、を含むリワード提供方法を提供する。
【０００９】
また、本発明のさらに他の実施例は、前記デバイスの位置情報を生成する位置情報生成部と、前記デバイスの位置情報を前記サーバに周期的に転送する転送部と、前記デバイスと商店との間の距離が第１の長さよりも小さい際、前記サーバから第１のリワードを受信するリワード受信部と、前記受信した第１のリワードに関するイメージを前記デバイスのディスプレイに表示する表示部と、を含み、前記リワード受信部は、前記デバイスと商店との間の距離が第２の長さよりも小さい際、前記サーバから第２のリワードを受信し、前記第２の長さは前記第１の長さよりも小さいものである、リワード受信デバイスを提供する。
【００１０】
また、本発明のさらに他の実施例は、前記デバイスの位置情報を生成するステップと、前記デバイスの位置情報を前記サーバに転送するステップと、前記デバイスと商店との間の距離が第１の長さよりも小さい際、前記サーバから第１のリワードを受信するステップと、前記受信した第１のリワードに関するイメージを前記デバイスのディスプレイに表示するステップと、前記デバイスと商店との間の距離が第２の長さよりも小さい際、前記サーバから第２のリワードを受信し、前記第２の長さは前記第１の長さよりも小さいものであるステップと、を含むリワード受信方法を提供する。
【００１１】
上述した課題を解決するための手段は、単なる例示であり、本発明を制限する意図で解釈されてはならない。上述した例示的な実施例の他にも、図面及び発明の詳細な説明に記載された追加の実施例が存在し得る。
【発明の効果】
【００１２】
上述した課題を解決するための手段によって、商店とデバイスとの間の距離に基づき、リワードをデバイスに差等をつけて提供するサーバ及び方法、並びにデバイスを提供することができる。また、デバイスのユーザが関心を持つ領域に対応する商店の広告情報を提供することで広告の効率性を増大させるサーバ及び方法、並びにデバイスを提供することができる。さらに、商店の広告情報を受信し、確認したデバイスのユーザにリワードを提供するサーバ及び方法、並びにデバイスを提供することができる。
【図面の簡単な説明】
【００１３】
【図１】本発明の一実施例に係るリワード提供システムの構成図である。
【図２】本発明の一実施例に係る図１に示されたリワード提供サーバの構成図である。
【図３】本発明の一実施例に係る図１に示されたデバイスの構成図である。
【図４】発明の他の実施例に係る図１に示されたデバイスの構成図である。
【図５】発明の一実施例に係るリワードを提供する方法を示したフローチャートである。
【図６】発明の一実施例に係るリワードを受信する方法を示したフローチャートである。
【発明を実施するための形態】
【００１４】
以下では、添付した図面を参照しながら、本発明の属する技術分野において通常の知識を有する者が容易に実施できるように本発明の実施例を詳しく説明する。ところが、本発明は、様々な異なる形態で具現されることができ、ここで説明する実施例に限定されるものではない。そして、図面において、本発明を明確に説明するために、説明とは関係ない部分は省略しており、明細書全体に亘って類似した部分に対しては類似した図面符号を付けている。
【００１５】
明細書全体において、ある部分が他の部分と『連結』されているという場合、これは『直接的に連結』されている場合だけでなく、その中間に他の素子を介して『電気的に連結』されている場合も含む。また、ある部分がある構成要素を『含む』という場合、これは、特に反対の記載がない限り、他の構成要素を除くのではなく、他の構成要素をさらに含み得ることを意味する。
【００１６】
本明細書において『部』とは、ハードウェアにより実現されるユニット（ｕｎｉｔ）と、ソフトウェアにより実現されるユニットと、両方を用いて実現されるユニットとを含む。また、１つのユニットが２つ以上のハードウェアを用いて実現されても良く、２つ以上のユニットが１つのハードウェアにより実現されても良い。
【００１７】
本明細書において、端末又はデバイスが行うと記述された動作や機能の一部は、当該端末又はデバイスと連結されたサーバで代わりに行われ得る。同様に、サーバが行うと記述された動作や機能の一部も当該サーバと連結された端末やデバイスで行われ得る。
【００１８】
以下、添付された構成図又はフローチャートを参考しながら、本発明を実施するための具体的な内容を説明する。
【００１９】
図１は、発明の一実施例に係るリワード提供システムの構成図である。図１を参照すると、リワード提供システムは、リワード提供サーバ１００と、デバイス２００（又は２０１又は２０２）（位置によるデバイス区分）と、商店３００に設けられた商店デバイス３０１とを含み得る。但し、このような図１のリワード提供システムは、本発明の一実施例に過ぎないので、図１によって本発明が限定解釈されるものではなく、本発明の様々な実施例により、図１とは異なるように構成されることもできる。例えば、リワード提供システムは、ネットワーク基地局、無線ＡＰ（Ａｃｃｅｓｓ  Ｐｏｉｎｔ）をさらに含むこともできる。
【００２０】
図１のリワード提供システムの各構成要素は、ネットワーク４００を通じて連結される。ネットワーク４００は、端末及びサーバのようなそれぞれのノードの相互間に情報交換が可能な連結構造を意味し、このようなネットワーク（ｎｅｔｗｏｒｋ）の一例には、３ＧＰＰ（３ｒｄ  Ｇｅｎｅｒａｔｉｏｎ  Ｐａｒｔｎｅｒｓｈｉｐ  Ｐｒｏｊｅｃｔ）ネットワーク、ＬＴＥ（Ｌｏｎｇ  Ｔｅｒｍ  Ｅｖｏｌｕｔｉｏｎ）ネットワーク、ＷＩＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）ネットワーク、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、ブルートゥース（登録商標）（Ｂｌｕｅｔｏｏｔｈ）ネットワーク、衛星放送ネットワーク、アナログ放送ネットワーク、ＤＭＢ（Ｄｉｇｉｔａｌ  Ｍｕｌｔｉｍｅｄｉａ  Ｂｒｏａｄｃａｓｔｉｎｇ）ネットワークなどが含まれるが、これに限定されるものではない。
【００２１】
リワード提供サーバ１００は、商店の位置情報及びデバイス２００（又は２０１又は２０２）の位置情報を獲得する。具体的に、リワード提供サーバ１００は、ＧＰＳ（Ｇｌｏｂａｌ  Ｐｏｓｉｔｉｏｎｉｎｇ  Ｓｙｓｔｅｍ）、デバイス２００（又は２０１又は２０２）又は商店デバイス３０１の基地局及びデバイス２００（又は２０１又は２０２）又は商店デバイス３０１のＡＰ（Ａｃｃｅｓｓ  Ｐｏｉｎｔ）の少なくとも１つ以上から商店３００の位置情報及びデバイス２００（又は２０１又は２０２）の位置情報を獲得することができる。
【００２２】
リワード提供サーバ１００は、商店３００の位置情報及びデバイス２００（又は２０１又は２０２）の位置情報に基づき、商店３００とデバイス２００（又は２０１又は２０２）との間の距離が複数の予め決められた長さよりも小さいか否かを判断する。ここで、予め決められた長さは、デバイス２００（又は２０１又は２０２）が商店３００まで訪問する可能性がある距離、デバイス２００（又は２０１又は２０２）が商店３００に訪問したことを確認できる距離などであり得る。また、リワード提供サーバ１００は、商店３００とデバイス２００（又は２０１又は２０２）間の距離判断結果、デバイス２００（又は２０１又は２０２）に差等をつけてリワードを提供する。ここで、リワードは、商店３００に対応する商品の割引クーポン、積立ポイントなどを含み得る。
【００２３】
さらに、リワード提供サーバ１００は、商店３００とデバイス２００（又は２０１又は２０２）との間の距離が複数の予め決められた長さよりも小さいと判断したそれぞれの時点に対応する時間を保存する。また、リワード提供サーバ１００は、それぞれの時点間の時間間隔を計算し、計算された時間間隔に基づき、デバイス２００（又は２０１又は２０２）にリワードを提供する。例えば、計算された当該時間間隔が１０分以内である場合、リワード提供サーバ１００は、デバイス２００（又は２０１又は２０２）に商店３００で使用することのできる商品の割引クーポンを提供する。
【００２４】
また、リワード提供サーバ１００は、デバイス２００（又は２０１又は２０２）が現在位置に訪問した回数又は頻度に基づき、デバイス２００（又は２０１又は２０２）にリワードを提供する。ここで、現在位置は、デバイス２００（又は２０１又は２０２）が商店３００まで訪問する可能性がある領域内の位置又は商店３００の位置であり得る。例えば、デバイス２００（又は２０１又は２０２）が商店３００に訪問した回数が５回以上である場合、リワード提供サーバ１００は、デバイス２００（又は２０１又は２０２）に商店３００で使用することのできる商品の割引クーポンを提供する。
【００２５】
リワード提供サーバ１００は、商店３００とデバイス２００（又は２０１又は２０２）との間の距離が予め決められた長さよりも小さい場合、デバイス２００（又は２０１又は２０２）に広告情報を提供する。具体的に、リワード提供サーバ１００は、商店３００の運営時間の間、商店３００とデバイス２００（又は２０１又は２０２）との間の距離が予め決められた長さよりも小さい場合、デバイス２００（又は２０１又は２０２）に広告情報を提供する。また、リワード提供サーバ１００は、商店３００とデバイス２００（又は２０１又は２０２）との間の距離が予め決められた長さよりも小さく、デバイス２００（又は２０１又は２０２）から商店３００までの所要時間が予め決められた時間よりも小さい場合、デバイス２００（又は２０１又は２０２）に広告情報を提供する。例えば、デバイス２００（又は２０１又は２０２）から商店３００までの所要時間が１０分であり、予め決められた時間が２０分である場合、リワード提供サーバ１００は、デバイス２００（又は２０１又は２０２）に商店３００で使用することのできる商品の割引クーポンを提供する。
【００２６】
さらに、リワード提供サーバ１００は、商店３００の商店情報とデバイス２００（又は２０１又は２０２）のユーザのユーザ情報に基づき、デバイス２００（又は２０１又は２０２）に広告情報を提供する。ここで、商店情報は、商店３００で販売される商品及びサービス、商店３００の位置及び連絡先などの情報を含み得る。ユーザ情報は、ユーザが好む商店情報及びリワード情報を含み得る。広告情報には、商店３００の販売商品及びサービスの紹介、お勧め商品、商店３００の運営時間などが含まれ得る。
【００２７】
また、リワード提供サーバ１００は、デバイス２００（又は２０１又は２０２）が現在位置に訪問した回数又は頻度に基づき、デバイス２００（又は２０１又は２０２）に広告情報を提供する。ここで、現在位置は、デバイス２００（又は２０１又は２０２）が商店３００まで訪問する可能性がある領域内の位置であり得る。例えば、デバイス２００（又は２０１又は２０２）が商店３００まで訪問する可能性がある領域内に５回以上位置する場合、リワード提供サーバ１００は、デバイス２００（又は２０１又は２０２）に商店３００の新商品情報が含まれた広告情報を提供する。
【００２８】
デバイス２００（又は２０１又は２０２）は、デバイス２００（又は２０１又は２０２）の位置情報を生成し、生成した位置情報をリワード提供サーバ１００に周期的に転送する。ここで、デバイス２００（又は２０１又は２０２）の位置情報は、デバイス２００（又は２０１又は２０２）のＧＰＳ（Ｇｌｏｂａｌ  Ｐｏｓｉｔｉｏｎｉｎｇ  Ｓｙｓｔｅｍ）情報、デバイス２００（又は２０１又は２０２）の基地局情報、デバイス２００（又は２０１又は２０２）のＡＰ（Ａｃｃｅｓｓ  Ｐｏｉｎｔ）情報の少なくとも１つ以上であり得る。また、デバイス２００（又は２０１又は２０２）は、ＧＰＳ（Ｇｌｏｂａｌ  Ｐｏｓｉｔｉｏｎｉｎｇ  Ｓｙｓｔｅｍ）、通信基地局、ＡＰ（Ａｃｃｅｓｓ  Ｐｏｉｎｔ）の何れか１つ以上からデバイス２００（又は２０１又は２０２）の位置情報を受信できる受信モジュールが搭載された端末であり得る。
【００２９】
デバイス２００（又は２０１又は２０２）は、商店３００とデバイス２００（又は２０１又は２０２）との間の距離が予め決められた長さよりも小さい場合、リワード提供サーバ１００からリワードを受信し、受信したリワードに関するイメージをデバイス２００（又は２０１又は２０２）のディスプレイに表示する。
【００３０】
さらに、デバイス２００（又は２０１又は２０２）は、商店３００とデバイス２００（又は２０１又は２０２）との間の距離が予め決められた長さよりも小さい場合、リワード提供サーバ１００から広告情報を受信し、受信した広告情報をデバイス２００（又は２０１又は２０２）のディスプレイに表示する。
【００３１】
また、デバイス２００（又は２０１又は２０２）は、無線通信が可能なモバイル端末を含み、本発明の様々な実施例によれば、デバイス２００（又は２０１又は２０２）各々は、様々な形態のデバイスであり得る。例えば、デバイス２００（又は２０１又は２０２）各々は、ネットワークを通じて遠隔地のサーバに接続できるＴＶ装置、コンピュータ又は携帯用端末であり得る。ここで、ＴＶ装置の一例には、スマートＴＶ、ＩＰＴＶセットトップボックスなどが含まれ、コンピュータの一例には、ウェブブラウザ（ＷＥＢ  Ｂｒｏｗｓｅｒ）が搭載されたノートパンコン、デスクトップ（ｄｅｓｋｔｏｐ）、ラップトップ（ｌａｐｔｏｐ）などが含まれ、携帯用端末の一例には、携帯性と移動性が保障される無線通信装置として、ＰＣＳ（Ｐｅｒｓｏｎａｌ  Ｃｏｍｍｕｎｉｃａｔｉｏｎ  Ｓｙｓｔｅｍ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（ｓｍａｒｔｐｈｏｎｅ）、タブレットＰＣなどのような全ての種類のハンドヘルド（Ｈａｎｄｈｅｌｄ）ベースの無線通信装置が含まれ得る。但し、デバイス２００（又は２０１又は２０２）各々が図１に示された形態又は上記に例示されたものに限定解釈されるものではない。
【００３２】
商店３００は、商品及びサービスを販売する商店である。商店を通じて販売される商品及びサービスは、オンライン又はオフライン商品及びサービスであり得る。商店３００は、その内部に商店デバイス３０１を含み得る。商店デバイス３０１は、リワード提供サーバ１００とネットワーク４００を通じて連結される。商店デバイス３０１は、サービスや商品に対する決済プロセスを進行する決済デバイスでもあり、デバイス２００（又は２０１又は２０２）が隣り合う場合、デバイス２００（又は２０１又は２０２）が隣り合っているか否かを近距離通信を通じて判断できる近距離通信デバイスでもあり得る。
【００３３】
以下では、図１のリワード提供システムの各構成要素の動作についてより具体的に説明する。
【００３４】
図２は、本発明の一実施例による図１に示されたリワード提供サーバ１００の構成図である。図２を参照すると、リワード提供サーバ１００は、保存部１１０と、位置情報獲得部１２０と、距離判断部１３０と、リワード提供部１４０と、広告情報提供部１５０と、ＤＢ１６０とを含み得る。但し、図２に示されたリワード提供サーバ１００は、本発明の一具現例に過ぎず、図２に示された構成要素を基に様々な変形が可能である。例えば、リワード提供サーバ１００は、ユーザからある命令乃至情報を入力されるためのユーザインターフェースをさらに含み得る。この場合、ユーザインターフェースは、一般的にキーボード、マウスなどのような入力装置でもあり得るが、映像表示装置に表現されるグラフィックユーザインターフェース（ＧＵＩ、Ｇｒａｐｈｉｃａｌ  Ｕｓｅｒ  ｉｎｔｅｒｆａｃｅ）でもあり得る。
【００３５】
保存部１１０は、商店３００の位置情報及び商店３００の商店情報を保存する。ここで、商店情報は、商店の識別情報、商店のカテゴリ情報、商店が提供するリワードのカテゴリ情報及び広告情報のうち１つ以上を含み得る。商店３００の識別情報は、商店の商号、住所、電話番号などの情報を含み得る。商店３００のカテゴリ情報は、商店で販売又はお勧めする商品及びサービス種類などであり得る。例えば、販売する商品としては、食品類（例えば、ラーメン、ホルモンなど）、飲料及び酒類（例えば、コーヒ、ビールなど）、衣類、ファッション雑貨（例えば、めがね、かばん、帽子など）などを含み得る。商店が提供するリワードのカテゴリ情報には、商品の割引クーポン及びイベント情報、商品の割引期間及び新商品情報などが含まれ得る。商店３００の広告情報は、商店の運営時間及び位置などの情報を含み得る。
【００３６】
さらに、保存部１１０は、複数の商店３００の位置情報を保存する。
【００３７】
位置情報獲得部１２０は、デバイス２００（又は２０１又は２０２）の位置情報及びデバイス２００（又は２０１又は２０２）のユーザのユーザ情報を獲得する。ここで、ユーザ情報は、ユーザの識別情報、好む商店のカテゴリ情報及び好むリワードのカテゴリ情報のうち１つ以上を含み得る。ユーザの識別情報は、ユーザの性別及び年齢、職業などの情報を含み得る。好む商店のカテゴリ情報には、ユーザが関心を持つ商品及びサービスの種類などの情報が含まれ得る。例えば、関心を持つ商品としては、食品類（例えば、ラーメン、ホルモンなど）、飲料及び酒類（例えば、コーヒ、ビールなど）、衣類、ファッション雑貨（例えば、めがね、かばん、帽子など）などを含み得る。好むリワードのカテゴリ情報には、商品の割引クーポン及びイベント情報、商品の割引期間及び新商品情報などが含まれ得る。
【００３８】
また、位置情報獲得部１２０は、位置情報生成サーバから商店３００の位置情報及びデバイス２００（又は２０１又は２０２）の位置情報を受信する。ここで、位置情報生成サーバは、ＧＰＳ（Ｇｌｏｂａｌ  Ｐｏｓｉｔｉｏｎｉｎｇ  Ｓｙｓｔｅｍ）情報、デバイス２００（又は２０１又は２０２）の基地局情報及びデバイス２００（又は２０１又は２０２）のＡＰ（Ａｃｃｅｓｓ  Ｐｏｉｎｔ）情報の少なくとも１つ以上から商店３００の位置情報及びデバイス２００（又は２０１又は２０２）の位置情報を生成する。さらに、位置情報獲得部１２０は、商店デバイス３０１から商店３００の位置情報を受信することもできる。
【００３９】
距離判断部１３０は、商店３００の位置情報及びデバイス２００（又は２０１又は２０２）の位置情報に基づき、商店３００とデバイス２００（又は２０１又は２０２）との間の距離が第１の長さよりも小さいか否かを判断する。ここで、第１の長さは、デバイス２００（又は２０１又は２０２）のユーザが商店３００に訪問できる距離であり得る。この場合、第１の長さは、商店３００から半径３キロメートルに設定され得るが、これに限定されるものではない。便宜上、以下において第１の長さとは、商店３００から半径３キロメートルの例として説明する。
【００４０】
本発明の他の実施例において、距離判断部１３０は、複数の商店３００の位置情報及びデバイス２００（又は２０１又は２０２）の位置情報に基づき、複数の商店３００各々とデバイス２００（又は２０１又は２０２）との間の距離が第１の長さよりも小さいか否かを判断する。
【００４１】
また、距離判断部１３０は、商店３００の位置情報及びデバイス２００（又は２０１又は２０２）の位置情報に基づき、商店３００とデバイス２００（又は２０１又は２０２）との間の距離が第２の長さよりも小さいか否かを判断する。ここで、第２の長さは第１の長さよりも小さいものであり得る。また、第２の長さは、デバイス２００（又は２０１又は２０２）のユーザが実際に商店３００に訪問した際、商店３００とデバイス２００（又は２０１又は２０２）との間の距離であり得る。この場合、第２の長さは、商店３００から１０メートル以内の距離に設定され得るが、これに限定されるものではない。以下において第２の長さとは、商店３００から１０メートルの例として説明する。
【００４２】
リワード提供部１４０は、商店３００とデバイス２００（又は２０１又は２０２）との間の距離が第１の長さよりも小さい際、デバイス２００（又は２０１又は２０２）に第１のリワードを提供する。ここで、第１のリワードは、商店３００の商品の割引クーポン及び商品の無料クーポン、イベント情報、積立ポイントなどを含み得る。また、第１のリワードは、複数の商店で使用することのできる決済ポイントであり得る。ここで、決済ポイントは、現金又は現金のように使用することのできるポイントであり得る。本発明の他の実施例において、リワード提供部１４０は、デバイス２００（又は２０１又は２０２）から広告情報に対応する選択が入力された場合、デバイス２００（又は２０１又は２０２）に第１のリワードを提供する。ここで、広告情報は、商店３００とデバイス２００（又は２０１又は２０２）との間の距離が第１の長さよりも小さく、現在時間が商店３００の運営時間間隔以内である場合に、リワード提供サーバ１００がデバイス２００（又は２０１又は２０２）に転送した情報であり得る。
【００４３】
また、リワード提供部１４０は、商店３００とデバイス２００（又は２０１又は２０２）との間の距離が第２の長さよりも小さい際、デバイス２００（又は２０１又は２０２）に第２のリワードを提供する。ここで、第２のリワードは、第１のリワードと比べて、商品の価格割引率がより高いか、積立ポイントが２倍になり得るが、これに限定されるものではない。第２のリワードは、商店３００で使用することのできる商品の割引クーポン及び商品の無料クーポン、積立ポイントなどを含み得る。また、第２のリワードは、複数の商店で使用することのできる決済ポイントであり得る。ここで、決済ポイントは、現金又は現金のように使用することのできるポイントであり得る。さらに、リワード提供部１４０は、商店３００とデバイス２００（又は２０１又は２０２）との間の距離が第１の長さよりも小さいと判断した第１の時点と、商店３００とデバイス２００（又は２０１又は２０２）との間の距離が第２の長さよりも小さいと判断した第２の時点との間の時間間隔に基づき、デバイス２００（又は２０１又は２０２）に第２のリワードを提供する。例えば、第１の時点と第２の時点との間の時間間隔が短いほど、デバイス２００（又は２０１又は２０２）のユーザが商店３００に訪問する可能性が高くなり得る。
【００４４】
本発明のさらに他の実施例において、リワード提供部１４０は、デバイス２００（又は２０１又は２０２）が現在位置に既位置した回数又は頻度に基づき、第１のリワード又は第２のリワードをデバイス２００（又は２０１又は２０２）に提供する。ここで、現在位置は、第１の長さ、第１の長さと第２の長さとの間の領域、第２の長さの何れか１つを含み得る。例えば、デバイス２００（又は２０１又は２０２）のユーザが現在位置に訪問した頻度が高い場合、当該デバイス２００（又は２０１又は２０２）は、商店３００で使用することのできる商品の割引クーポンをリワード提供サーバ１００から転送されることができる。
【００４５】
上記した第１のリワード又は第２のリワードは、リワード提供サーバ１００から受信されたリワードであり、当該リワードと対応される商店３００で（又は商店３００でのみ）使用することができるリワードを意味し得る。
【００４６】
本発明のさらに他の実施例において、リワード提供部１４０は、デバイス２００（又は２０１又は２０２）によって広告情報のうち第１の候補商店の第１の広告情報に対する選択が入力される場合、第１の候補商店に対応する第１のリワードをデバイス２００（又は２０１又は２０２）に提供する。例えば、デバイス２００（又は２０１又は２０２）のユーザがめがね販売店の広告情報をデバイス２００（又は２０１又は２０２）で確認した場合、当該ユーザは、めがね販売店で使用することのできる商品の割引クーポンをリワード提供サーバ１００から転送されることができる。他の例として、デバイス２００（又は２０１又は２０２）のユーザがデバイス２００（又は２０１又は２０２）を通じて酒類販売店の「ビール一杯サービス」の広告情報を確認した後、当該酒類販売店を訪問した場合、当該ユーザは、酒類販売店からビール一杯をサービスとして提供されることができる。
【００４７】
リワード提供部１４０は、デバイス２００（又は２０１又は２０２）を通じて商店３００に対応する購買プロセスが進行された場合、デバイス２００（又は２０１又は２０２）に第３のリワードを提供する。ここで、第３のリワードは、商店３００でデバイス２００（又は２０１又は２０２）のユーザにより購買が行われる場合に限って、デバイス２００（又は２０１又は２０２）に支給されるリワードであり得る。また、第３のリワードは、複数の商店で使用することのできる決済ポイントであり得る。ここで、決済ポイントは、現金又は現金のように使用することのできるポイントであり得る。なお、このような決済ポイントは、商店３００を含む複数の商店で使用することが可能である。このとき、複数の商店は、特定のサービスに加入された商店でもあり得る。広告情報提供部１５０は、商店３００とデバイス２００（又は２０１又は２０２）との間の距離が第１の長さよりも小さい際、デバイス２００（又は２０１又は２０２）に広告情報を提供する。ここで、広告情報は、商店３００の広告データ及び広告の提供時間を含み得る。商店３００の広告データは、商品の割引期間及び割引商品の種類などを含み得る。広告の提供時間は、商店３００の運営時間を含み得る。例えば、広告情報提供部１５０は、広告の提供時間に基づき、デバイス２００（又は２０１又は２０２）に広告情報を提供する。
【００４８】
広告情報に対応する金額は、商店３００の決済情報に基づいて決済される。ここで、広告情報に対応する金額は、商店３００の業主が広告代行業者に商店３００に関する広告を要請する際に発生する金額であり得る。このとき、金額は、リワード提供サーバ１００に対応する第１の金額、第１のリワード、第２のリワード及び第３のリワードのうち１つ以上の合計として計算され得る。例えば、広告情報を提供するリワード提供サーバ１００に５００ウォン、広告情報を確認したデバイス２００（又は２０１又は２０２）に２００ウォン、商店３００に直接訪問したデバイス２００（又は２０１又は２０２）に３００ウォン、商店３００で商店３００に対応する購買を進行したデバイス２００（又は２０１又は２０２）に５００ウォンを支給する場合、広告情報に対応する金額は、計１５００ウォンとして計算されることができる。
【００４９】
具体的に、広告情報提供部１５０は、デバイス２００（又は２０１又は２０２）と商店３００との間の距離が第１の長さよりも小さく、現在時間が商店の運営時間間隔以内である場合、デバイス２００（又は２０１又は２０２）に広告情報を提供する。
【００５０】
また、広告情報提供部１５０は、商店３００とデバイス２００（又は２０１又は２０２）との間の距離が第１の長さよりも小さく、デバイス２００（又は２０１又は２０２）から商店３００までの所要時間が臨界値（例えば、１０分）よりも小さい場合、デバイス２００（又は２０１又は２０２）に広告情報を提供する。
【００５１】
本発明の他の実施例において、広告情報提供部１５０は、商店情報及びデバイス２００（又は２０１又は２０２）のユーザのユーザ情報に基づき、デバイス２００（又は２０１又は２０２）に広告情報を提供する。例えば、広告情報提供部１５０は、デバイス２００（又は２０１又は２０２）のユーザの現在位置及び好む商店又はリワード情報にマッチングされる商店３００に関する広告をデバイス２００（又は２０１又は２０２）に提供する。
【００５２】
本発明のさらに他の実施例において、広告情報提供部１５０は、デバイス２００（又は２０１又は２０２）が現在位置に既位置した回数又は頻度に基づき、広告情報をデバイス２００（又は２０１又は２０２）に提供する。例えば、デバイス２００（又は２０１又は２０２）のユーザが現在位置に訪問した頻度が高い場合、当該デバイス２００（又は２０１又は２０２）は、リワード提供サーバ１００から商店３００で割引している商品の種類及び価格情報などを含む広告を提供されることができる。
【００５３】
本発明のさらに他の実施例において、広告情報提供部１５０は、複数の商店３００各々と前記デバイス２００（又は２０１又は２０２）との間の距離が第１の長さよりも小さい場合、複数の商店３００のうち１つ以上の候補商店３００を選択し、選択した候補商店３００各々の広告情報をデバイス２００（又は２０１又は２０２）に提供する。
【００５４】
ＤＢ１６０は、データを保存する。このとき、ＤＢ１６０に保存されるデータは、リワード提供サーバ１００内部の各構成要素の間に入力及び出力されるデータを含み、リワード提供サーバ１００とリワード提供サーバ１００外部の構成要素の間に入力及び出力されるデータを含む。例えば、ＤＢ１０６は、商店の位置及びデバイス２００（又は２０１又は２０２）の位置情報を保存する。また、ＤＢ１０６は、広告情報、商店情報、デバイス２００（又は２０１又は２０２）のユーザ情報を保存する。このようなＤＢ１６０の一例には、リワード提供サーバ１００の内部又は外部に存在するハードディスクドライブ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ及びメモリカードなどが含まれる。
【００５５】
当業者であれば、保存部１１０、位置情報獲得部１２０、距離判断部１３０、リワード提供部１４０、広告情報提供部１５０及びＤＢ１６０のそれぞれが分離して具現されたり、このうち１つ以上が統合されて具現され得ることが充分に理解できるはずである。
【００５６】
図３は、本発明の一実施例による図１に示されたデバイス２００（又は２０１又は２０２）の構成図である。
【００５７】
図３を参照すると、デバイス２００（又は２０１又は２０２）は、位置情報生成部２１０と、転送部２２０と、リワード受信部２３０と、表示部２４０と、ＤＢ２７０とを含み得る。但し、図３に示されたデバイス２００（又は２０１又は２０２）は、本発明の一具現例に過ぎず、図３に示された構成要素を基に様々な変形が可能である。例えば、デバイス２００（又は２０１又は２０２）は、ユーザからある命令乃至情報を入力されるためのユーザインターフェースをさらに含み得る。この場合、ユーザインターフェースは、一般的にキーボード、マウスなどのような入力装置でもあり得るが、映像表示装置に表現されるグラフィックユーザインターフェース（ＧＵＩ、Ｇｒａｐｈｉｃａｌ  Ｕｓｅｒ  ｉｎｔｅｒｆａｃｅ）でもあり得る。
【００５８】
位置情報生成部２１０は、デバイス２００（又は２０１又は２０２）の位置情報を生成する。又は、位置情報生成部２１０は、デバイス２００（又は２０１又は２０２）のＧＰＳ（Ｇｌｏｂａｌ  Ｐｏｓｉｔｉｏｎｉｎｇ  Ｓｙｓｔｅｍ）、基地局、ＡＰ（Ａｃｃｅｓｓ  Ｐｏｉｎｔ）のうち１つ以上からデバイス２００（又は２０１又は２０２）の位置情報を受信することもできる。
【００５９】
転送部２２０は、デバイス２００（又は２０１又は２０２）の位置情報をリワード提供サーバ１００に周期的に転送する。
【００６０】
リワード受信部２３０は、デバイス２００（又は２０１又は２０２）と商店３００との間の距離が第１の長さよりも小さい際、リワード提供サーバ１００から第１のリワードを受信する。また、リワード受信部２３０は、デバイス２００（又は２０１又は２０２）と商店３００との間の距離が第２の長さよりも小さい際、リワード提供サーバ１００から第２のリワードを受信する。
【００６１】
表示部２４０は、リワード提供サーバ１００から受信した第１のリワードに関するイメージをデバイス２００（又は２０１又は２０２）のディスプレイに表示する。また、表示部２４０は、リワード提供サーバ１００から受信した第２のリワードに関するイメージをデバイス２００（又は２０１又は２０２）のディスプレイに表示する。
【００６２】
ＤＢ２７０は、デバイス２００（又は２０１又は２０２）の位置情報を保存する。このとき、ＤＢ２７０に保存されるデータは、デバイス２００（又は２０１又は２０２）内部の各構成要素の間に入力及び出力されるデータを含み、デバイス２００（又は２０１又は２０２）とデバイス２００（又は２０１又は２０２）外部の構成要素の間に入力及び出力されるデータを含む。例えば、ＤＢ２７０は、リワード提供サーバ１００から受信した第１のリワード、第２のリワードを保存する。このようなＤＢ２７０の一例には、デバイス２００（又は２０１又は２０２）内部又は外部に存在するハードディスクドライブ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ及びメモリカードなどが含まれる。
【００６３】
当業者であれば、位置情報生成部２１０、転送部２２０、リワード受信部２３０、表示部２４０及びＤＢ２７０のそれぞれが分離して具現されたり、このうち１つ以上が統合されて具現され得ることを充分に理解できるはずである。
【００６４】
図４は、発明の他の実施例に係る図１に示されたデバイス２００（又は２０１又は２０２）の構成図である。図４を参照すると、デバイス２００（又は２０１又は２０２）は、位置情報生成部２１０と、転送部２２０と、リワード受信部２３０と、表示部２４０と、広告情報受信部２５０と、通知生成部２６０と、ＤＢ２７０とを含み得る。但し、図４に示されたデバイス２００（又は２０１又は２０２）は、本発明の一具現例に過ぎず、図４に示された構成要素を基に様々な変形が可能である。例えば、デバイス２００（又は２０１又は２０２）は、ユーザからある命令乃至情報を入力されるためのユーザインターフェースをさらに含み得ることは、上記に図３によって説明した通りである。
【００６５】
図４に示された位置情報生成部２１０と、転送部２２０と、リワード受信部２３０と、表示部２４０と、ＤＢ２７０とは、図３の位置情報生成部２１０と、転送部２２０と、リワード受信部２３０と、表示部２４０と、ＤＢ２７０とに対応するので、重複する説明は省略する。
【００６６】
広告情報受信部２５０は、デバイス２００（又は２０１又は２０２）と商店３００との間の距離が第１の長さよりも小さい際、リワード提供サーバ１００から広告情報を受信する。
【００６７】
表示部２４０は、リワード提供サーバ１００から受信した広告情報をデバイス２００（又は２０１又は２０２）のディスプレイに表示する。
【００６８】
通知生成部２６０は、デバイス２００（又は２０１又は２０２）のユーザインターフェースから広告情報に対する選択が入力される場合、選択に対応する通知を生成する。ここで、ユーザインターフェースは、ハードウェアボタン、音声認識インターフェース、ジェスチャ認識インターフェース、タッチインターフェースなどと様々ある。
【００６９】
転送部２２０は、通知生成部２６０で生成した通知をリワード提供サーバ１００に転送する。
【００７０】
リワード受信部２３０は、当該通知がリワード提供サーバ１００に転送された後、リワード提供サーバ１００から第１のリワードを受信する。
【００７１】
ＤＢ２７０は、上記の図３で説明したように、デバイス２００（又は２０１又は２０２）内部の各構成要素の間に入力及び出力されるデータ、デバイス２００（又は２０１又は２０２）とデバイス２００（又は２０１又は２０２）外部の構成要素の間に入力及び出力されるデータを保存する。この場合、ＤＢ２７０は、リワード提供サーバ１００から受信した広告情報を保存する。
【００７２】
当業者であれば、位置情報生成部２１０、転送部２２０、リワード受信部２３０、表示部２４０、広告情報受信部２５０、通知生成部２６０及びＤＢ２７０のそれぞれが分離して具現されたり、このうち１つ以上が統合されて具現され得ることが充分に理解できるはずである。
【００７３】
図５は、発明の一実施例に係るリワードを提供する方法を示したフローチャートである。図５に示された実施例によるリワードを提供する方法は、図１乃至図４に示された実施例によるリワード提供サーバ１００、デバイス２００（又は２０１又は２０２）、商店３００及び商店デバイス３０１において時系列的に処理されるステップを含む。従って、以下省略された内容であるとしても、図１乃至図４のリワード提供サーバ１００、デバイス２００（又は２０１又は２０２）、商店３００及び商店デバイス３０１に関して記述された内容は、図５に示された実施例によるリワードを提供する方法にも適用され得る。
【００７４】
図５を参照すると、ステップＳ５０１において、リワード提供サーバ１００は、商店３００の位置情報を保存する。
【００７５】
ステップＳ５０２において、リワード提供サーバ１００は、デバイス２００（又は２０１又は２０２）の位置情報を獲得する。
【００７６】
ステップＳ５０３において、リワード提供サーバ１００は、商店３００の位置情報及びデバイス２００（又は２０１又は２０２）の位置情報に基づき、商店３００とデバイス２００（又は２０１又は２０２）との間の距離が第１の長さよりも小さいか否かを判断する。さらに、リワード提供サーバ１００は、商店３００とデバイス２００（又は２０１又は２０２）との間の距離が第１の長さよりも小さい際、デバイス２００（又は２０１又は２０２）に広告情報を提供する。
【００７７】
ステップＳ５０４において、リワード提供サーバ１００は、商店３００とデバイス２００（又は２０１又は２０２）との間の距離が第１の長さよりも小さい際、デバイス２００（又は２０１又は２０２）に第１のリワードを提供する。また、リワード提供サーバ１００は、デバイス２００（又は２０１又は２０２）から広告情報に対応する選択が入力される場合、デバイス２００（又は２０１又は２０２）に第１のリワードをさらに提供する。
【００７８】
ステップＳ５０５において、リワード提供サーバ１００は、商店３００の位置情報及びデバイス２００（又は２０１又は２０２）の位置情報に基づき、商店３００とデバイス２００（又は２０１又は２０２）との間の距離が第２の長さよりも小さいか否かを判断する。
【００７９】
ステップＳ５０６において、リワード提供サーバ１００は、商店３００とデバイス２００（又は２０１又は２０２）との間の距離が第２の長さよりも小さい際、デバイス２００（又は２０１又は２０２）に第２のリワードを提供し、第２の長さは第１の長さよりも小さいものであり得る。
【００８０】
上述した説明において、ステップＳ５０１乃至Ｓ５０６は、本発明の具現例により、追加のステップにさらに分割されたり、さらに少ないステップに組み合わせられ得る。また、一部のステップは必要に応じて省略されることも、ステップ間の順序が変更されることもあり得る。
【００８１】
図６は、発明の一実施例に係るリワードを受信する方法を示したフローチャートである。図６に示された実施例によるリワードを受信する方法は、図１乃至図５に示された実施例によるリワード提供サーバ１００、デバイス２００（又は２０１又は２０２）、商店３００及び商店デバイス３０１において時系列的に処理されるステップを含む。従って、以下省略された内容であるとしても、図１乃至図５のリワード提供サーバ１００、デバイス２００（又は２０１又は２０２）、商店３００及び商店デバイス３０１に関して記述された内容は、図６に示された実施例によるリワードを受信する方法にも適用され得る。
【００８２】
図６を参照すると、ステップＳ６０１において、デバイス２００（又は２０１又は２０２）は、デバイス２００（又は２０１又は２０２）の位置情報を生成する。
【００８３】
ステップＳ６０２において、デバイス２００（又は２０１又は２０２）は、デバイス２００（又は２０１又は２０２）の位置情報をリワード提供サーバ１００に転送する。また、デバイス２００（又は２０１又は２０２）は、デバイス２００（又は２０１又は２０２）と商店３００との間の距離が第１の長さよりも小さい際、リワード提供サーバ１００から広告情報を受信する。さらに、デバイス２００（又は２０１又は２０２）は、デバイス２００（又は２０１又は２０２）のユーザインターフェースから広告情報に対する選択が入力される場合、選択に対応する通知を生成し、当該通知をリワード提供サーバ１００に転送する。
【００８４】
ステップＳ６０３において、デバイス２００（又は２０１又は２０２）は、デバイス２００（又は２０１又は２０２）と商店３００との間の距離が第１の長さよりも小さい際、リワード提供サーバ１００から第１のリワードを受信する。また、デバイス２００（又は２０１又は２０２）は、当該通知がリワード提供サーバ１００に転送された後、リワード提供サーバ１００から第１のリワードを受信する。
【００８５】
ステップＳ６０４において、デバイス２００（又は２０１又は２０２）は、受信した第１のリワードに関するイメージをデバイス２００（又は２０１又は２０２）のディスプレイに表示する。
【００８６】
ステップＳ６０５において、デバイス２００（又は２０１又は２０２）は、デバイス２００（又は２０１又は２０２）と商店３００との間の距離が第２の長さよりも小さい際、リワード提供サーバ１００から第２のリワードを受信し、第２の長さは第１の長さよりも小さいものであり得る。
【００８７】
上述した説明において、ステップＳ６０１乃至Ｓ６０５は、本発明の具現例により、追加のステップにさらに分割されたり、さらに少ないステップに組み合わせられ得る。また、一部のステップは必要に応じて省略されることも、ステップ間の順序が変更されることもあり得る。
【００８８】
本発明の一実施例は、コンピュータにより実行されるプログラムモジュールのようなコンピュータにより実行可能な命令語を含む記録媒体の形態でも具現されることができる。コンピュータ読み取り可能な媒体は、コンピュータによってアクセスできる任意の可用媒体であっても良く、揮発性及び非揮発性媒体、分離型及び非分離型の媒体を全て含む。また、コンピュータ読み取り可能な媒体は、コンピュータ保存媒体及び通信媒体を全て含み得る。コンピュータ保存媒体は、コンピュータ読み取り可能な命令語、データ構造、プログラムモジュール又はその他のデータのような情報保存のための任意の方法又は技術で具現された揮発性及び非揮発性、分離型及び非分離型の媒体を全て含む。通信媒体は、典型的にコンピュータ読み取り可能な命令語、データ構造、プログラムモジュール、又は搬送波のような変調されたデータ信号のその他のデータ、又はその他の転送メカニズムを含み、任意の情報伝達媒体を含む。
【００８９】
上述した本発明の説明は例示のためのものであり、本発明の属する技術分野において通常の知識を有する者であれば、本発明の技術的思想や必須の特徴を変更せずに他の具体的な形態で容易に変形可能であるということを理解できるはずである。それゆえ、上記した実施例は全ての面において例示的なものであり、限定的なものではないと理解すべきである。例えば、単一型で説明されている各構成要素は分散して実施されることもでき、同様に、分散したものと説明されている構成要素も結合された形態で実施されることができる。
【００９０】
本発明の範囲は、詳細な説明よりは後述する特許請求の範囲によって示され、特許請求の範囲の意味及び範囲、並びにその均等概念から導出される全ての変更又は変形された形態が本発明の範囲に含まれることと解釈されなければならない。
【図１】
2016536706.tif 000003
【図２】
2016536706.tif 000004
【図３】
2016536706.tif 000005
【図４】
2016536706.tif 000006
【図５】
2016536706.tif 000007
【図６】
2016536706.tif 000008
【国際調査報告】
2016536706.tif 000009
2016536706.tif 000010
2016536706.tif 000011
2016536706.tif 000012
2016536706.tif 000013
2016536706.tif 000014